(57)【要約】【課題】アドレス帳を容易に編集することができる携帯電子機器、編集方法及び編集プログラムを提供すること。【解決手段】携帯電話機１は、通信部３１と、記憶部３４と、１又は複数のアドレス情報から構成されるアドレス帳情報が含まれているメールを通信部３１により受信した場合に、該アドレス帳情報を記憶部３４に記憶させる制御部３５とを備える。この制御部３５は、メールの送信元アドレスが所定アドレスである場合に、アドレス帳情報を記憶部３４に記憶させる。【選択図】図３
2013055576.tif 000002
【特許請求の範囲】
【請求項１】
通信部と、
記憶部と、
１又は複数のアドレス情報から構成されるアドレス帳情報が含まれているメールを前記通信部により受信した場合に、該アドレス帳情報を前記記憶部に記憶させる制御部と、
を備える携帯電子機器。
【請求項２】
前記制御部は、前記メールの送信元アドレスが所定アドレスである場合に、前記アドレス帳情報を前記記憶部に記憶させる、
請求項１に記載の携帯電子機器。
【請求項３】
前記制御部は、前記メールに所定のメッセージが含まれている場合に、前記アドレス帳情報を前記記憶部に記憶させる、
請求項１又は２に記載の携帯電子機器。
【請求項４】
前記制御部は、前記記憶部に前記アドレス帳情報が記憶されている場合において前記メールを受信したとき、前記記憶部に記憶されている前記アドレス帳情報の更新を行う、
請求項１から３のいずれか１項に記載の携帯電子機器。
【請求項５】
前記制御部は、２つの前記アドレス帳情報が含まれているメールを受信した場合に、該２つの前記アドレス帳情報の一方が前記記憶部に記憶されている前記アドレス帳情報と一致しているとき、他方の前記アドレス帳情報に基づいて、前記記憶部に記憶されている前記アドレス帳情報の更新を行う、
請求項４に記載の携帯電子機器。
【請求項６】
前記制御部は、前記メールに含まれる前記アドレス帳情報にエラーが含まれているとき、前記記憶部に対する前記アドレス帳情報の記憶又は前記アドレス帳情報の更新を中止する、
請求項１から５のいずれか１項に記載の携帯電子機器。
【請求項７】
前記制御部は、前記記憶部に対する前記アドレス帳情報の記憶又は前記アドレス帳情報の更新を中止する場合に、前記メールの送信元アドレスに対してエラー情報を含むメールを前記通信部により送信する、
請求項６に記載の携帯電子機器。
【請求項８】
通信部と、記憶部とを備えた携帯電子機器がアドレス帳を編集する編集方法であって、
１又は複数のアドレス情報から構成されるアドレス帳情報が含まれているメールを前記通信部により受信した場合に、該アドレス帳情報を前記記憶部に記憶させるステップを含む編集方法。
【請求項９】
通信部と、記憶部とを備えた携帯電子機器にアドレス帳を編集させる編集プログラムであって、
１又は複数のアドレス情報から構成されるアドレス帳情報が含まれているメールを前記通信部により受信した場合に、該アドレス帳情報を前記記憶部に記憶させるステップを前記携帯電子機器に実行させる編集プログラム。
【発明の詳細な説明】
【技術分野】
【０００１】
本発明は、携帯電子機器、編集方法及び編集プログラムに関する。
【背景技術】
【０００２】
アドレス帳を受信して登録する携帯電話装置が知られている（例えば、特許文献１参照）。この携帯電話装置は、当該携帯電話装置のユーザがアドレス帳の取得を要求すると、通信相手の携帯電話装置からアドレス帳を受信して登録する。
【先行技術文献】
【特許文献】
【０００３】
【特許文献１】特開２００５−１２９９９０号公報
【発明の概要】
【発明が解決しようとする課題】
【０００４】
ところで、携帯電話装置の操作に詳しくないユーザは、アドレス帳の登録方法がわからなかったり、誤操作によりアドレス帳を消去したりする可能性がある。
【０００５】
本発明は、アドレス帳を容易に編集することができる携帯電子機器、編集方法及び編集プログラムを提供することを目的とする。
【課題を解決するための手段】
【０００６】
本発明に係る携帯電子機器は、通信部と、記憶部と、１又は複数のアドレス情報から構成されるアドレス帳情報が含まれているメールを前記通信部により受信した場合に、該アドレス帳情報を前記記憶部に記憶させる制御部と、を備える。
【０００７】
本発明に係る携帯電子機器では、前記制御部は、前記メールの送信元アドレスが所定アドレスである場合に、前記アドレス帳情報を前記記憶部に記憶させることが好ましい。
【０００８】
本発明に係る携帯電子機器では、前記制御部は、前記メールに所定のメッセージが含まれている場合に、前記アドレス帳情報を前記記憶部に記憶させることが好ましい。
【０００９】
本発明に係る携帯電子機器では、前記制御部は、前記記憶部に前記アドレス帳情報が記憶されている場合において前記メールを受信したとき、前記記憶部に記憶されている前記アドレス帳情報の更新を行うことが好ましい。
【００１０】
本発明に係る携帯電子機器では、前記制御部は、２つの前記アドレス帳情報が含まれているメールを受信した場合に、該２つの前記アドレス帳情報の一方が前記記憶部に記憶されている前記アドレス帳情報と一致しているとき、他方の前記アドレス帳情報に基づいて、前記記憶部に記憶されている前記アドレス帳情報の更新を行うことが好ましい。
【００１１】
本発明に係る携帯電子機器では、前記制御部は、前記メールに含まれる前記アドレス帳情報を構成する１又は複数のアドレス情報の少なくともいずれかにエラーが含まれているとき、前記記憶部に対する前記アドレス帳情報の記憶又は前記アドレス帳情報の更新を中止することが好ましい。
【００１２】
本発明に係る携帯電子機器は、前記制御部は、前記記憶部に対する前記アドレス帳情報の記憶又は前記アドレス帳情報の更新を中止する場合に、前記メールの送信元アドレスに対してエラー情報を含むメールを前記通信部により送信することが好ましい。
【００１３】
本発明に係る編集方法は、通信部と、記憶部とを備えた携帯電子機器がアドレス帳を編集する編集方法であって、１又は複数のアドレス情報から構成されるアドレス帳情報が含まれているメールを前記通信部により受信した場合に、該アドレス帳情報を前記記憶部に記憶させるステップを含む。
【００１４】
本発明に係る編集プログラムは、通信部と、記憶部とを備えた携帯電子機器にアドレス帳を編集させる編集プログラムであって、１又は複数のアドレス情報から構成されるアドレス帳情報が含まれているメールを前記通信部により受信した場合に、該アドレス帳情報を前記記憶部に記憶させるステップを前記携帯電子機器に実行させる。
【発明の効果】
【００１５】
本発明によれば、アドレス帳を容易に編集することができる。
【図面の簡単な説明】
【００１６】
【図１】本実施携帯に係る携帯電話機の正面図である。
【図２】本実施形態に係る携帯電話機の裏面側の斜視図である。
【図３】本実施形態に係る携帯電話機の機能構成を示すブロック図である。
【図４】本実施形態に係る携帯電話機によって実行されるアドレス帳の編集処理のフローチャートである。
【図５】図４に続くフローチャートである。
【発明を実施するための形態】
【００１７】
以下、本発明の携帯電子機器としての携帯電話機について説明する。
図１は、本実施携帯に係る携帯電話機１の正面図である。図２は、本実施形態に係る携帯電話機１の裏面側の斜視図である。
【００１８】
図１に示すように、携帯電話機１の主面側には、操作キー群１１と、第１スライドキー１２と、表示部２１と、レシーバ２５とが配置される。
図２に示すように、携帯電話機１の長さ方向に沿った側面には、インターフェース１７と、サイドキー１６と、第２スライドキー１９とが配置される。
図２に示すように、携帯電話機１の幅方向に沿った側面には、マイク２４が配置される。
【００１９】
操作キー群１１は、第１操作キー１１ａ、第２操作キー１１ｂ及び第３操作キー１１ｃを備える。
第１操作キー１１ａ、第２操作キー１１ｂ及び第３操作キー１１ｃそれぞれは、機能が割り当てられる。第２操作キー１１ｂ、第３操作キー１１ｃのいずれかが押下された場合、押下されたキーにアサインされた機能が実行される。この機能は、表示部２１に各操作キーの近傍に表示されるアイコン等の機能表示に対応している。
【００２０】
第１スライドキー１２は、携帯電話機１における長さ方向の端部に形成される。第１スライドキー１２は、携帯電話機１の幅方向にスライド移動可能に構成される。第１スライドキー１２は、キー位置に応じて所定の機能又は起動中の機能における動作条件等がアサインされる。
【００２１】
例えば、第１スライドキー１２は、キー位置に応じて、呼び出し音又はレシーバ２５の出音の大きさ等を切り替えるように動作条件がアサインされてもよい。第１スライドキー１２は、キー位置に応じて、他の機能が起動するようにアサインされてもよい。
【００２２】
サイドキー１６は、所定の機能がアサインされる。サイドキー１６が押下された場合、アサインされている機能が実行される。本実施形態において、例えば、サイドキー１６には、キーロック機能がアサインされる。
インターフェース１７は、外部機器との接続に用いられる。インターフェース１７は、不使用時に、ＩＦカバー１７ａにより覆われる。
【００２３】
第２スライドキー１９は、携帯電話機１の側面に沿って、携帯電話機１の長手方向にスライド移動可能に構成される。第２スライドキー１９は、キー位置に応じて所定の機能又は起動中の機能における動作条件等がアサインされる。例えば、第２スライドキー１９は、キー位置に応じて、電源をオンとオフとを切り替えるように動作条件がアサインされていてもよい。
【００２４】
表示部２１は、所定の機能に対応した文字情報又は画像情報等の各種情報を表示可能に構成される。
【００２５】
マイク２４は、携帯電話機１の幅方向に沿った側面に配置される。このマイク２４は、長さ方向においてレシーバ２５と反対側にある。マイク２４は、ユーザが発した音声又は携帯電話機１の環境音等の入力を受け付ける。マイク２４は、入力された音声を制御部３５に出力する。
レシーバ２５は、携帯電話機１の長さ方向における端部に配置される。レシーバ２５は、マイク２４側と反対側にある。レシーバ２５は、音声を出力する。
【００２６】
携帯電話機１の機能構成について説明する。
図３は、本実施形態に係る携帯電話機１の機能構成を示すブロック図である。
図３に示すように、携帯電話機１は、操作キー群１１と、第１スライドキー１２と、サイドキー１６と、インターフェース１７と、第２スライドキー１９と、表示部２１と、マイク２４と、レシーバ２５と、通信部３１と、ＬＣＤ処理部３２と、ＬＣＤドライバ３３と、記憶部３４と、制御部３５とを備える。
【００２７】
通信部３１は、アンテナ部３１１と、通信処理部３１２とを備える。
アンテナ部３１１は、所定の周波数帯（例えば、８００ＭＨｚ帯）で変調された信号により基地局と無線通信を行う。アンテナ部３１１は、通信処理部３１２により変調処理が行われた音声信号を基地局に送信する。アンテナ部３１１は、基地局を介して他の通信機器と通信を行う。
【００２８】
通信処理部３１２は、基地局に送信する信号を所定の周波数帯で変調処理する。通信処理部３１２は、基地局から受信した信号を所定の周波数帯で復調処理する。通信処理部３１２は、復調処理が行われた信号を、制御部３５に出力する。
【００２９】
ＬＣＤ処理部３２は、画像処理を行う。ＬＣＤ処理部３２は、処理後の画像データをＬＣＤドライバ３３に出力する。ＬＣＤドライバ３３は、メモリを備えている。ＬＣＤドライバ３３は、ＬＣＤ処理部３２から供給された画像データをメモリに蓄える。そして、ＬＣＤドライバ３３は、メモリに蓄えられた画像データを表示部２１に出力する。画像処理を制御部３５で行う場合、このＬＣＤ処理部３２を省略してもよい。
【００３０】
記憶部３４は、複数のアプリケーションプログラムを記憶する。記憶部３４は、携帯電話機１の内部に固定されていてもよいし、着脱可能であってもよい。
記憶部３４は、アドレス帳情報を記憶可能である。アドレス帳情報は、１又は複数のユーザそれぞれのアドレス情報を含む。アドレス情報は、識別情報、氏名、電話番号及びメールアドレス等の個人情報を含む。本実施形態において、記憶部３４に記憶されるアドレス情報の数は、制御部３５により、例えば２０個に制御される。識別情報は、例えば、１から２０の数字で表される。アドレス帳情報に含まれるアドレス情報のうち、識別情報が「１」のアドレス情報が、携帯電話機１の管理者のアドレス情報に対応する。識別情報は、数字に限らず、文字、数字及び記号の組み合わせでもよい。
【００３１】
識別情報に対応するアドレス情報に記憶される情報は、制御部３５により制限される。
例えば、識別情報「１」に対応するアドレス情報には、３件のメールアドレスの登録が可能に制御される。識別情報「２」から「１０」に対応するアドレス情報には、１件のメールアドレスの登録が可能に制御される。識別情報「１１」から「２０」に対応するアドレス情報には、メールアドレスが登録できないように制御される。
【００３２】
制御部３５は、携帯電話機１の全体を制御する。
制御部３５は、例えば、ＣＰＵ（Ｃｅｎｔｒａｌ  Ｐｒｏｃｅｓｓｉｎｇ  Ｕｎｉｔ）を含む。制御部３５は、複数のマイクロプロセッサを含んでいてもよい。
【００３３】
このように構成される携帯電話機１は、アドレス帳を容易に編集する機能を有する。以下に、携帯電話機１に係る上記機能を発揮するための構成と動作について詳述する。
なお、記憶部３４には、携帯電話機１の管理者に対応するアドレス情報を少なくとも含むアドレス帳情報が記憶されているものとする。
【００３４】
制御部３５は、１又は複数のアドレス情報から構成されるアドレス帳情報が含まれているメールを通信部３１により受信した場合に、該アドレス帳情報を記憶部３４に記憶させる。例えば、制御部３５は、通信部３１により受信したメールに１つのアドレス帳情報のみが含まれている場合に、該アドレス帳情報に含まれるアドレス情報を記憶部３４に記憶させる。
【００３５】
メールは、例えば、電子メールである。アドレス帳情報は、例えば、ｖＣＡＲＤ形式でフォーマットされたファイルである。メールにアドレス帳情報が含まれるとは、例えば、ｖＣＡＲＤ形式のファイルがメールに添付されていることをいう。
【００３６】
このようにして、携帯電話機１は、受信したメールに添付されたアドレス帳情報に基づいて、携帯電話機１において使用されるアドレス帳情報を容易に編集することができる。文字入力のキーが少ない端末では、有益である。
【００３７】
また、制御部３５は、受信したメールの送信元アドレスが所定アドレスである場合に、当該メールに含まれるアドレス帳情報を記憶部３４に記憶させる構成でもよい。所定アドレスとは、例えば、携帯電話機１の管理者のアドレス情報に含まれるメールアドレスである。
このようにして、携帯電話機１は、第三者によってアドレス帳情報が記憶されることを抑制して、遠隔操作によるアドレス帳の編集を行うことが可能になる。携帯電話機１では、携帯電話機の操作に不慣れなユーザが誤って登録内容を変更するのを低減することができる。
携帯電話機１は、メールを介してアドレス帳情報を記憶することで、携帯電話機１からのアドレス帳情報の変更を禁止することができる。携帯電話機１では、操作に不慣れなユーザが誤ってアドレス帳情報を変更するのをより低減することができる。携帯電話機１では、不審者がアドレス帳情報を故意に変更するのを低減することができる。
【００３８】
また、制御部３５は、受信したメールに所定のメッセージが含まれている場合に、当該メールに含まれるアドレス帳情報を記憶部３４に記憶させる構成でもよい。所定のメッセージは、アドレス帳を記憶部３４に記憶させるための識別情報である。例えば、アドレス帳情報を記憶部３４に記憶する場合、所定のメッセージには、「登録」という文字が含まれている。
【００３９】
例えば、制御部３５は、受信したメールの件名に、「アドレス帳」という文字が含まれ、かつ、メッセージ本文に「登録」という文字が含まれている場合に、これら所定のメッセージの内容に基づいた処理を行う。
【００４０】
このようにして、携帯電話機１は、アドレス帳情報を記憶部３４に記憶させることを管理者から明示的に指示された場合にアドレス帳情報を記憶部３４に記憶させるので、誤動作の発生を抑制することができる。
【００４１】
また、制御部３５は、記憶部３４にアドレス帳情報が記憶されている場合においてメールを受信したとき、記憶部３４に記憶されているアドレス帳情報の更新を行う構成でもよい。
この場合、制御部３５は、２つのアドレス帳情報が含まれているメールを通信部３１により受信した場合に、当該メールに含まれている２つのアドレス帳情報の一方が記憶部３４に記憶されているアドレス帳情報と一致しているとき、他方のアドレス帳情報に基づいて、記憶部３４に記憶されているアドレス帳情報の更新を行う。
【００４２】
具体的には、制御部３５は、通信部３１によりメールを受信したことに応じて、当該メールにアドレス帳情報が２つ含まれているか否かを判定する。制御部３５は、受信したメールに２つのアドレス帳情報が含まれている場合、これら２つのアドレス帳情報の内容と、記憶部３４に記憶されているアドレス帳情報の内容との比較を行う。
【００４３】
制御部３５は、アドレス帳情報に含まれる１又は複数のアドレス情報それぞれについて、同一の識別情報ごとに、例えば、以下に示すような比較を行う。比較に際して、第１アドレス情報とは、記憶部３４に記憶されているアドレス帳情報に含まれるアドレス情報をいう。第２アドレス情報とは、受信したメールにおける比較対象とされるアドレス帳情報に含まれるアドレス情報をいう。
【００４４】
制御部３５は、第１アドレス情報に含まれる登録名と第２アドレス情報に含まれる登録名が一致するか否かを判定する。制御部３５は、登録名が一致する場合、電話番号の比較を行う。制御部３５は、登録名が一致しない場合、アドレス帳情報の不備によるエラーと判定する。制御部３５は、登録名にスペースが含まれている場合において、スペースが半角であるか全角であるかで異なっていても、登録名が一致するものとする。制御部３５は、スペースを無視して、一致を判定してもよい。登録名にスペースが含まれる例としては、名字と名前との間が挙げられる。
【００４５】
制御部３５は、第２アドレス情報に含まれる電話番号が第１アドレス情報に含まれる電話番号と一致するか否かを判定する。制御部３５は、第２アドレス情報に複数の電話番号が含まれている場合には、通常使用されるように規定されている電話番号について、一致するか否かを判定する。制御部３５は、電話番号が一致する場合、メールアドレスの比較を行う。制御部３５は、電話番号が一致しない場合、アドレス帳情報の不備によるエラーと判定する。
【００４６】
制御部３５は、第２アドレス情報に含まれるメールアドレスが第１アドレス情報に含まれるメールアドレスと一致するか否かを判定する。制御部３５は、メールアドレスが一致する場合、アドレス帳情報の更新を行う。制御部３５は、メールアドレスが一致しない場合、アドレス帳情報の不備によるエラーと判定する。
【００４７】
制御部３５は、識別情報が「１」に対応するアドレス情報にメールアドレスが２件以上含まれている場合には、これらのメールアドレスそれぞれが第２アドレス情報に含まれているか否かを判定する。制御部３５は、これらのメールアドレスそれぞれが第２アドレス情報に含まれていないと判定した場合、アドレス帳情報の不備によるエラーと判定する。なお、制御部３５は、各アドレス情報におけるメールアドレスの記載順が一致しているか否かについて判定するようにしてよい。
制御部３５は、識別情報が「２」から「１０」に対応するアドレス情報にメールアドレスが２件以上含まれている場合、アドレス帳情報の不備によるエラーと判定する。
制御部３５は、識別情報が「１１」から「２０」に対応するアドレス情報にメールアドレスが含まれている場合、アドレス帳情報の不備によるエラーと判定する。
【００４８】
制御部３５は、メールに含まれるアドレス帳情報を構成する１又は複数のアドレス情報の少なくともいずれかにアドレス帳情報の不備によるエラーがなかった場合に、アドレス帳情報の更新を行う。
【００４９】
制御部３５は、受信したメールに１つのアドレス帳情報のみ含まれている場合、又は上記他方のアドレス帳情報に基づいて記憶部３４に記憶されているアドレス帳情報の更新を行う場合、例えば、以下に示すように更新を行う。更新に際して、第１アドレス情報とは、記憶部３４に記憶されているアドレス帳情報に含まれるアドレス情報をいう。第３アドレス情報とは、上記１つのアドレス帳情報に含まれるアドレス情報をいう。第３アドレス情報は、上記他方のアドレス帳情報に含まれるアドレス情報であってもよい。
【００５０】
制御部３５は、上記他方のアドレス帳情報に含まれる第３アドレス情報にエラーがあるか否かを判定する。
具体的には、制御部３５は、電話番号が未入力の第３アドレス情報があるか否かを判定する。制御部３５は、電話番号が未入力の第３アドレス情報がある場合、編集エラーと判定する。
制御部３５は、識別情報が「１」に対応するアドレス情報にメールアドレスが４件以上含まれている場合、編集エラーと判定する。
制御部３５は、識別情報が「２」から「１０」に対応するアドレス情報にメールアドレスが２件以上含まれている場合、編集エラーと判定する。
また、制御部３５は、識別情報が「１１」から「２０」に対応するアドレス情報にメールアドレスが含まれている場合、編集エラーと判定する。
【００５１】
制御部３５は、メールに含まれるアドレス帳情報を構成する１又は複数のアドレス情報の少なくともいずれかにエラーが含まれているとき、記憶部３４に対するアドレス帳情報の記憶又はアドレス帳情報の更新を中止する。エラーとは、上述したアドレス帳情報の不備によるエラー及び編集エラーである。
このようにして、携帯電話機１は、受信したメールに添付されたアドレス帳情報に不備がある場合に、当該アドレス帳情報に基づいて編集を行うことを中止することができる。
【００５２】
制御部３５は、記憶部３４に対するアドレス帳情報の記憶又はアドレス帳情報の更新を中止する場合に、メールの送信元アドレスに対してエラー情報を含むメールを通信部３１により送信する。
【００５３】
具体的には、制御部３５は、アドレス帳情報の不備によるエラーが存在する場合、管理者のメールアドレスを宛先メールアドレスとして、アドレス帳情報の不備によるエラーが存在する旨のメッセージを含むメールを通信部３１により送信する。
【００５４】
また、制御部３５は、第３アドレス情報に登録エラー又は更新エラーが存在する場合、管理者のメールアドレスを宛先メールアドレスとして、第３アドレス情報において登録エラー又は更新エラーが発生した旨のメッセージを含むメールを通信部３１により送信する。
このようにして、携帯電話機１は、受信したメールに添付されたアドレス帳情報に不備があることを、当該メールを送信した管理者に通知することができる。
【００５５】
制御部３５は、第３アドレス情報にエラーが存在しなかった場合、第３アドレス情報に基づいて、記憶部３４に記憶されているアドレス帳情報を更新する。制御部３５は、記憶部３４に記憶されているアドレス帳情報の更新が完了した場合、管理者のメールアドレスを宛先メールアドレスとして、アドレス帳情報の更新が完了した旨のメッセージを含むメールを送信する。
【００５６】
このようにして、携帯電話機１では、この携帯電話機１を所持しているユーザが操作することなく、遠隔操作でアドレス帳情報を更新することができる。
携帯電話機１は、受信したメールにアドレス帳情報が２つ含まれている場合に、いずれか一方のアドレス帳情報が記憶部３４に記憶されているアドレス帳情報と一致するか否かを判定する。これにより、携帯電話機１は、メールを送信したユーザが、第三者による入手が困難であるアドレス帳情報を所有していることを条件に、当該ユーザが正当であるか否かを判定することができる。
【００５７】
携帯電話機１では、なりすましメールによって、アドレス帳の変更が行われたとしても、変更した旨を管理者にメールで通知する。これにより、携帯電話機１では、管理者に不正な変更を認識させることができる。この変更した旨のメールから不正な変更を破棄する指示をしてもよい。
【００５８】
制御部３５は、受信したメールの送信元アドレスが所定アドレスである場合に、当該メールに含まれるアドレス帳情報を記憶部３４に更新させる構成でもよい。
制御部３５は、受信したメールに所定のメッセージが含まれている場合に、当該メールに含まれるアドレス帳情報を記憶部３４に更新させる構成でもよい。
例えば、アドレス帳情報を更新する場合、所定のメッセージには、「変更」という文字が含まれている。
例えば、制御部３５は、受信したメールの件名に、「アドレス帳」という文字が含まれ、かつ、メッセージ本文に「更新」という文字が含まれている場合に、これら所定のメッセージの内容に基づいた処理を行う。
【００５９】
このようにして、携帯電話機１は、アドレス帳情報を記憶部３４に更新させることを管理者から明示的に指示された場合にアドレス帳情報を更新するので、誤動作の発生を抑制できる。
【００６０】
続いて、携帯電話機１の動作の流れについて、図４に示すフローチャートを参照しながら説明する。図４は、本実施形態に係る携帯電話機１によって実行されるメール受信処理のフローチャートである。このメール受信処理は、携帯電話機１が通信部３１によりメールを受信すると開始される。
【００６１】
ステップＳ１において、制御部３５は、受信したメールの送信元アドレスが記憶部３４に記憶されているアドレス帳情報に含まれるメールアドレスであるか否かを判定する。制御部３５は、この判定がＹＥＳである場合、ステップＳ３に処理を移す。制御部３５は、この判定がＮＯである場合、ステップＳ２に処理を移す。
ステップＳ２において、制御部３５は、受信したメールを破棄する。制御部３５は、この処理が終了すると、メール受信処理を終了する。
【００６２】
ステップＳ３において、制御部３５は、受信したメールの送信元アドレスが所定アドレスであるか否かを判定する。制御部３５は、この判定がＹＥＳである場合、ステップＳ４に処理を移す。制御部３５は、この判定がＮＯである場合、ステップＳ５に処理を移す。
【００６３】
ステップＳ４において、制御部３５は、受信したメールに所定メッセージが含まれているか否かを判定する。制御部３５は、この判定がＹＥＳである場合、ステップＳ６に処理を移す。制御部３５は、この判定がＮＯである場合、ステップＳ５に処理を移す。
【００６４】
ステップＳ５において、制御部３５は、受信したメールを表示部２１に表示させる。この処理が終了すると、メール受信処理を終了する。
【００６５】
ステップＳ６において、制御部３５は、受信したメールにアドレス帳情報が１つのみ含まれているか否かを判定する。制御部３５は、この判定がＹＥＳである場合、ステップＳ８に処理を移す。制御部３５は、この判定がＮＯである場合、ステップＳ７に処理を移す。
【００６６】
ステップＳ７において、制御部３５は、受信したメールにアドレス帳情報が２つのみ含まれているか否かを判定する。制御部３５は、この判定がＹＥＳである場合、図５に示すステップＳ１２に処理を移す。制御部３５は、この判定がＮＯである場合、ステップＳ９に処理を移す。
【００６７】
ステップＳ８において、制御部３５は、受信したメールに含まれているアドレス帳情報に不備があるか否かを判定する。制御部３５は、アドレス帳情報に不備があるかの判定を、上述したようにアドレス情報ごとに行う。制御部３５は、この判定がＹＥＳである場合、ステップＳ９に処理を移す。制御部３５は、この判定がＮＯである場合、ステップＳ１０に処理を移す。
【００６８】
ステップＳ９において、制御部３５は、宛先アドレスを所定アドレスとして、エラーメールを送信する。
ステップＳ１０において、制御部３５は、ステップＳ８において不備がないと判定されたアドレス帳情報を記憶部３４に記憶させる。
【００６９】
ステップＳ１１において、制御部３５は、宛先アドレスを所定アドレスとして、アドレス帳情報が記憶部３４に記憶された旨を示す完了メールを送信する。
【００７０】
説明を図５に移す。ステップＳ１２において、制御部３５は、受信したメールに含まれるアドレス帳情報と、記憶部３４に記憶されているアドレス帳情報とを比較する。そして、制御部３５は、受信したメールに含まれる２つのアドレス帳情報のいずれかが、記憶部３４に記憶されているアドレス帳情報に一致しているか否かを判定する。制御部３５は、この判定がＹＥＳである場合、ステップＳ１３に処理を移す。制御部３５は、この判定がＮＯである場合、ステップＳ１４に処理を移す。
【００７１】
ステップＳ１３において、制御部３５は、受信したメールに含まれている他方のアドレス帳情報に不備があるか否かを判定する。制御部３５は、アドレス帳情報に不備があるかの判定を、上述したようにアドレス情報ごとに行う。制御部３５は、この判定がＹＥＳである場合、ステップＳ１５に処理を移し、この判定がＮＯである場合、ステップＳ１４に処理を移す。
【００７２】
ステップＳ１４において、制御部３５は、宛先アドレスを所定アドレスとして、エラーメールを送信する。
【００７３】
ステップＳ１５において、制御部３５は、受信したメールに含まれている上記他方のアドレスに基づいて記憶部３４に記憶されているアドレス帳情報を更新する。
ステップＳ１６において、制御部３５は、宛先アドレスを所定アドレスとして、記憶部３４に記憶されているアドレス帳情報が更新された旨を示す完了メールを送信する。
【００７４】
以上のように、本実施形態によれば、携帯電話機１は、１又は複数のアドレス情報から構成されるアドレス帳情報が含まれているメールを通信部３１により受信した場合に、該アドレス帳情報を記憶部３４に記憶させる。このようにすることで、携帯電話機１は、当該携帯電話機１からの操作を受け付けることなくアドレス帳情報の編集を行うことができる。よって、本実施形態に示される携帯電話機１のように入力操作に係るキー等が少ない場合であっても、アドレス帳を容易に編集することができる。
【００７５】
以上、好適な実施形態について説明したが、本発明は上述した実施形態に限定されることなく種々の形態で実施することができる。例えば、上述の実施形態において、携帯電子機器として携帯電話機１について説明しているが、これに限定されない。
【００７６】
本実施形態では、記憶部３４に対するアドレス帳情報の記憶、又は記憶部３４に記憶されているアドレス帳情報の更新を行うこととしたが、これに限定されない。本発明に係る制御部３５は、メールを受信した場合に、所定メッセージとして、「削除」が含まれている場合に、アドレス帳情報に含まれる１又は複数のアドレス情報を削除する構成としてもよい。このような構成において、制御部３５は、受信したメールに、削除対象のアドレス情報に対応する識別情報が含まれている場合に、当該識別情報に対応するアドレス情報を記憶部３４から削除するようにしてもよい。
【符号の説明】
【００７７】
１  携帯電話機（携帯電子機器）
３１  通信部
３４  記憶部
３５  制御部
【図１】
2013055576.tif 000003
【図２】
2013055576.tif 000004
【図３】
2013055576.tif 000005
【図４】
2013055576.tif 000006
【図５】
2013055576.tif 000007